(57)【要約】【課題】外包材が分割されたタイプでありながら、吸収性本体からの漏れを防止でき、着用時に吸収性本体が着用者の歩行動作を妨げ難いパンツ型吸収性物品を提供すること。【解決手段】本発明のおむつ１Ａは、腹側シート部材２Ａと背側シート２Ｂと、それら２Ａ，２Ｂに架け渡して固定された吸収性本体３と、吸収性本体３の両側部３ｃ，３ｃに配された立体ギャザー４とを具備している。吸収性本体３は縦長の吸収体３３を有し、吸収体３３はその両側縁部３３ｃ，３３ｃに沿って延在する一対の非積繊部３４を有している。一対の非積繊部３４，３４は、腹側シート部材２Ａと背側シート部材２Ｂとに跨っている。【選択図】図２
2012061138.tif 000002
【特許請求の範囲】
【請求項１】
着用者の腹側に配される横長の矩形状の腹側シート部材と、着用者の背側に配される横長の矩形状の背側シート部材と、該腹側シート部材及び該背側シート部材に架け渡して固定された吸収性本体と、該吸収性本体の両側部それぞれに配された立体ギャザーとを具備するパンツ型吸収性物品であって、
前記吸収性本体は縦長の吸収体を有し、該吸収体はその縦方向に沿って延在する一対の非積繊部を有しており、
一対の前記非積繊部それぞれは、前記腹側シート部材と前記背側シート部材とに跨っているパンツ型吸収性物品。
【請求項２】
前記腹側シート部材は、腹側シート部材本体と、着用時に該腹側シート部材本体の下縁に沿って下方に延出する腹側延出部とを有し、
前記背側シート部材は、背側シート部材本体と、着用時に該背側シート部材本体の下縁に沿って下方に延出する背側延出部とを有しており、
一対の前記非積繊部それぞれは、その縦方向の腹側端部が前記腹側延出部と重なり、その縦方向の背側端部が前記背側延出部と重なっている請求項１に記載のパンツ型吸収性物品。
【請求項３】
前記腹側シート部材及び前記背側シート部材それぞれは、縦方向に離間させて配され且つ幅方向に伸長した状態で配された複数本の弾性部材を有しており、
前記非積繊部の前記腹側端部が前記腹側延出部と重なっている領域、及び前記非積繊部の前記背側端部が前記背側延出部と重なっている領域においては、前記弾性部材が配されていない請求項２に記載のパンツ型吸収性物品。
【請求項４】
前記腹側延出部及び前記背側延出部それぞれは、縦方向に離間されて配され且つ幅方向に伸長した状態で配された複数本の弾性部材を有している請求項３記載のパンツ型吸収性物品。
【請求項５】
前記立体ギャザーは、前記吸収性本体の側部から幅方向内方に延出する第１立体ギャザーと、前記吸収性本体の側部から幅方向外方に延出する第２立体ギャザーとからなる請求項１〜４の何れかに記載のパンツ型吸収性物品。
【請求項６】
前記吸収体は、その両側縁部それぞれに、縦方向に伸長した状態で配された吸収体用弾性部材を有している請求項１〜５の何れかに記載のパンツ型吸収性物品。
【請求項７】
前記吸収体は、高坪量部を有し、該高坪量部は、前記腹側延出部と前記背側延出部とに跨っている請求項１〜６の何れかに記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。例えば、特許文献１には、そのようなパンツ型吸収性物品として、前胴周り域及び後胴周り域を有するシャーシと、前胴周り域から後胴周り域にわたって配される吸収体とを備える吸収性物品が記載されている。同様に、特許文献２には、腹側外装シートと背側外装シートとからなる筒状の胴回り部と、腹側外装シートの内面と背側外装シートの内面とに連結された内装体とを備え、内装体が、括れ部を有する吸収コアを有するパンツ型使い捨ておむつが記載されている。
【先行技術文献】
【特許文献】
【０００４】
【特許文献１】ＷＯ２００８−０６９２７９号公報
【特許文献２】特開２００８−２５３２８５号公報
【発明の概要】
【発明が解決しようとする課題】
【０００５】
外包材が、着用者の腹側に配される腹側シート部材と着用者の背側に配される背側シート部材とに分割されたパンツ型吸収性物品は、外包材の帯状原反からのトリムの除去を不要としたり、除去すべきトリムの小型化等を図ったりすることができるので、製造コストを抑えることができ、製造設備に対する負担を抑えることができ、しかも環境にも優しい。しかしながら、このような腹側シート部材と背側シート部材とに分割されたパンツ型吸収性物品は、上述した砂時計状の外包材と吸収性本体とを備えたパンツ型吸収性物品に比べ、脚回りを覆う部位が存在せず、吸収性本体からの漏れに関して問題があった。
【０００６】
特許文献１に記載の吸収性物品は、吸収体の幅方向両側に略等間隔で形成される一対の側方低剛性部を備えているが、一対の側方低剛性部それぞれが、シャーシにおける前胴周り域と後胴周り域との間にわたって形成されていないため、着用時に吸収体にポケットを形成することができず、やはり漏れを防止することができない。
また、特許文献２に記載のパンツ型使い捨ておむつは、股下部の外観及び違和感をなくすため、所謂砂時計型の吸収コアを使用している。その為、着用時に吸収コアにポケットを形成することができず、股下における漏れへの不安感を払拭できず、やはり漏れを防止することができない。
【０００７】
従って、本発明の課題は、外包材が、着用者の腹側に配される腹側シート部材と着用者の背側に配される背側シート部材とに分割されたタイプのパンツ型吸収性物品でありながら、吸収性本体からの漏れを防止でき、着用時に吸収性本体が着用者の歩行動作を妨げ難いパンツ型吸収性物品を提供することにある。
【０００８】
本発明は、着用者の腹側に配される横長の矩形状の腹側シート部材と、着用者の背側に配される横長の矩形状の背側シート部材と、該腹側シート部材及び該背側シート部材に架け渡して固定された吸収性本体と、該吸収性本体の両側部それぞれに配された立体ギャザーとを具備するパンツ型吸収性物品であって、前記吸収性本体は縦長の吸収体を有し、該吸収体はその縦方向に沿って延在する一対の非積繊部を有しており、一対の前記非積繊部それぞれは、前記腹側シート部材と前記背側シート部材とに跨っているパンツ型吸収性物品を提供するものである。
【発明の効果】
【０００９】
本発明のパンツ型吸収性物品によれば、外包材が、着用者の腹側に配される腹側シート部材と着用者の背側に配される背側シート部材とに分割されたタイプのパンツ型吸収性物品でありながら、着用時に吸収性本体が着用者の歩行動作を妨げ難く、吸収性本体からの漏れを防止することができる。
【図面の簡単な説明】
【００１０】
【図１】図１は、本発明の第１実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸長状態を表面シート側から見た平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの有する吸収体と腹側シート部材との関係を示す要部拡大平面図である。
【図４】図４は、図２のＸ１−Ｘ１線断面図である。
【図５】図５は、本発明の第２実施形態であるパンツ型使い捨ておむつの展開且つ伸長状態を表面シート側から見た平面図である。
【図６】図６は、本発明の第３実施形態であるパンツ型使い捨ておむつの展開且つ伸長状態を表面シート側から見た平面図である。
【図７】図７は、図６のＸ２−Ｘ２線断面図である。
【図８】図８は、本発明の別の実施形態であるパンツ型使い捨ておむつの断面図（図７相当図）である。
【発明を実施するための形態】
【００１１】
以下、本発明のパンツ型吸収性物品を、その好ましい第１実施形態に基づき、図１〜図４を参照しながら説明する。
【００１２】
第１実施形態のパンツ型使い捨ておむつ１Ａ（以下、「おむつ１Ａ」ともいう。）は、図１，図２に示すように、着用者の腹側に配される横長の矩形状の腹側シート部材２Ａと、着用者の背側に配される横長の矩形状の背側シート部材２Ｂと、腹側シート部材２Ａ及び背側シート部材２Ｂに架け渡して固定された吸収性本体３と、吸収性本体３の両側部３ｃ，３ｃそれぞれに配された立体ギャザー４とを具備している。第１実施形態のおむつ１Ａにおいては、腹側シート部材２Ａの両側縁部２ａ，２ａの一部と背側シート２Ｂの両側縁部２ｂ，２ｂの一部とが接合されて、図１に示すように、ウエスト開口部ＷＯと一対のレッグ開口部ＬＯ，ＬＯとが形成されている。
おむつ１Ａは、図１，図２に示すように、中心線ＣＬに対して左右対称に形成されている。従って以下の説明では、左右対称な部分については、主に、右側について説明する。
【００１３】
第１実施形態のおむつ１Ａについて、詳述すると、おむつ１Ａは、おむつ１Ａの伸長状態（図２参照）において、その縦方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その縦方向（Ｙ方向）に直交する方向（以下「Ｘ方向」という。）である。
【００１４】
おむつ１Ａの吸収性本体３は、図２，図４に示すように、縦長の吸収体３３を有し、吸収体３３はその縦方向に沿って（両側縁部３３ｃ，３３ｃそれぞれに沿って）延在する一対の非積繊部３４，３４を有している。詳述すると、吸収性本体３は、図２，図４に示すように、液透過性の表面シート３１、液不透過性又は撥水性の裏面シート３２、及び両シート３１、３２間に介在配置された液保持性の吸収体３３を有しており、図２に示すように、縦方向（Ｙ方向）に長い長方形状に形成されている。吸収体３３は、パルプ繊維等の繊維の集合体又はこれに吸水性ポリマーの粒子を保持させてなる吸収性コアと、吸収性コアを被覆するコアラップシート（不図示）とからなる。吸収体３３も、縦方向（Ｙ方向）に長い長方形状に形成されている。図２に示すように、吸収体３３は、吸収性コアに、パルプ繊維、吸水性ポリマーの粒子等の欠落した非積繊部３４を一対有している。ここで、「欠落した非積繊部」とは、パルプ繊維、吸水性ポリマーの粒子等が全て欠落して何ら積繊されていない状態に加え、３０ｇ／ｍ2程度に若干積繊されている状態も、同様な効果を有しうることから含む意味である。但し、確実な効果を得るためには２０ｇ／ｍ2以下の積繊状態であることが好ましい。
【００１５】
上記坪量の測定は、例えば、以下のようにして測定される。おむつ１Ａから吸収性本体３の有する吸収体３３を取り出し、取り出された吸収体３３からコアラップシートを取り除き吸収性コアを取り出す。取り出された吸収性コアから非積繊部３４を含む部位を所定幅の大きさでカットして取り出し、これを非積繊部３４のカットサンプルとする。このカットサンプルの重量を最小表示１ｍｇの電子天秤を用いて測定し、坪量に換算することで求める。尚、坪量の測定精度を高めるために、複数のおむつ１Ａよりカットサンプルを採取し、５点以上の計測値の平均を求めることが好ましい。
【００１６】
吸収体３３は、第１実施形態においては、図２に示すように、高坪量部３５を有している。詳述すると、吸収体３３を構成する吸収性コアは、第１実施形態においては、図２に示すように、Ｔ字型状の上部吸収層と、上部吸収層より大きく縦方向（Ｙ方向）に長い矩形状の下部吸収層とからなり、高坪量部３５は、上部吸収層が、下部吸収層の腹側部Ａ側の端部から股下部Ｃに亘って下部吸収層の肌当接面側に重ね合わされることによりＴ字型状に形成される。吸収体３３の有する一対の非積繊部３４それぞれは、図２に示すように、吸収体３３のＸ方向外縁と高坪量部３５のＸ方向外縁との間に配され、吸収体３３の側縁部３３ｃに沿って延在し且つＴ字型状の高坪量部３５の外縁部に沿って延在している。第１実施形態のように上部吸収層をＴ字型状にすることにより、実態において使用される確率の高い、前側および股下部に効率良く吸収体３３を配置することができ、より一層股下部Ｃからのモレを防止することが出来る。
【００１７】
高坪量部３５の坪量は、高坪量部３５と非積繊部３４とを除く部位の坪量よりも高く、具体的には、１００〜４００ｇ／ｍ2であることが好ましい。尚、高坪量部３５と非積繊部３４とを除く部位の坪量は、５０〜２００ｇ／ｍ2であることが好ましい。これら坪量の測定は、例えば、上述した坪量の測定に基づいて測定される。
【００１８】
おむつ１Ａの腹側シート部材２Ａは、第１実施形態においては、図２に示すように、腹側シート部材本体２０Ａと、着用時に腹側シート部材本体２０Ａの下縁２００に沿って下方に延出する腹側延出部２１Ａを備えている。ここで、「下方」とは、おむつ１Ａの縦方向（Ｙ方向）におけるおむつ１Ａの中心ＣＴ（図２参照）に向かう方向を意味する。具体的には、腹側シート部材本体２０Ａは、おむつ１Ａの伸長状態（図２参照）において、おむつ幅方向（Ｘ方向）に長い長方形状をなしており、おむつ縦方向（Ｙ方向）に沿う左右一対の側縁部２０ａ，２０ａを有している。腹側延出部２１Ａは、腹側シート部材本体２０Ａの下縁２００に沿って腹側シート部材本体２０Ａから下方に延出しており、おむつ１Ａの伸長状態（図２参照）において、おむつ幅方向（Ｘ方向）に長い長方形状をなしており、おむつ縦方向（Ｙ方向）に沿う左右一対の側縁部２１ａ，２１ａを有している。
【００１９】
おむつ１Ａの背側シート部材２Ｂは、第１実施形態においては、図２に示すように、背側シート部材本体２０Ｂと、着用時に背側シート部材本体２０Ｂの下縁２００に沿って下方に延出する背側延出部２１Ｂを備えている。ここで、「下方」とは、腹側シート部材２Ａと同様に、おむつ１Ａの縦方向（Ｙ方向）におけるおむつ１Ａの中心ＣＴ（図２参照）に向かう方向を意味する。具体的には、背側シート部材本体２０Ｂは、おむつ１Ａの伸長状態（図２参照）において、おむつ幅方向（Ｘ方向）に長い長方形状をなしており、おむつ縦方向（Ｙ方向）に沿う左右一対の側縁部２０ｂ，２０ｂを有している。背側延出部２１Ｂは、背側シート部材本体２０Ｂの下縁２００に沿って背側シート部材本体２０Ｂから下方に延出しており、おむつ１Ａの伸長状態（図２参照）において、おむつ幅方向（Ｘ方向）に長い長方形状をなしており、おむつ縦方向（Ｙ方向）に沿う左右一対の側縁部２１ｂ，２１ｂを有している。
【００２０】
第１実施形態のおむつ１Ａについては、腹側シート部材２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、図２に示すように、腹側シート部材本体２０Ａの側縁部２０ａ，２０ａと背側シート部材本体２０Ｂの側縁部２０ｂ，２０ｂとが全域で接合され、腹側延出部２１Ａの側縁部２１ａ，２１ａと背側シート部材本体２０Ｂの側縁部２１ｂ，２１ｂとは接合されていない。このように、腹側シート部材本体２０Ａの側縁部２０ａ，２０ａと背側シート部材本体２０Ｂの側縁部２０ｂ，２０ｂとが接合されて、おむつ１Ａには、図１に示すように、サイドシール部５，５が形成され、ウエスト開口部ＷＯと一対のレッグ開口部ＬＯ，ＬＯとが形成される。この接合には、例えばヒートシール、高周波シール、超音波シール、接着剤等が用いられる。
【００２１】
腹側シート部材２Ａの長さＬａは、おむつ全長Ｌの１０〜４０％、特に１５〜３５％が好ましく、背側シート部材２Ｂの長さＬｂはおむつ全長Ｌの２０〜４０％、特に２５〜３５％が好ましい。腹側延出部２１Ａの長さＬ２は、サイドシール部５（腹側シート部材本体２０Ａ）の長さＬ１の５〜１００％であることが好ましく、２５〜７０％であることがより好ましい。更に、腹側延出部２１Ａの長さＬ２は、腹側シート部材２Ａの長さＬａの５〜５０％であることが好ましく、１０〜４０％であることがより好ましい。背側延出部２１Ｂの長さＬ３は、サイドシール部５（背側シート部材本体２０Ｂ）の長さＬ１の５〜１００％であることが好ましく、２５〜７０％であることがより好ましい。更に、背側延出部２１Ｂの長さＬ３は、背側シート２Ｂの長さＬｂの１０〜５０％であることが好ましく、２０〜４０％であることがより好ましい。尚、腹側延出部２１Ａ及び背側延出部２１Ｂそれぞれの延出長さＬ２，Ｌ３は、幼児用のおむつの場合には、１０〜７０ｍｍであることが好ましく、２０〜６０ｍｍであることがより好ましく、成人用のおむつの場合には、１５〜１１０ｍｍであることが好ましく、３０〜９０ｍｍであることがより好ましい。また、衣服として鑑みた場合、その前後を視覚的に判断できるといった観点から、腹側延出部２１Ａ，背側延出部２１Ｂそれぞれの延出長さＬ２，Ｌ３はＬ２＜Ｌ３なる関係になることが好ましい。
【００２２】
腹側シート部材２Ａ及び背側シート２Ｂそれぞれは、図２に示すように、縦方向（Ｙ方向）に離間させて配され且つ幅方向（Ｘ方向）に伸長した状態で配された複数本の弾性部材２４を有している。詳述すると、上述したように、おむつ１Ａの腹側シート部材２Ａは、図２に示すように、腹側シート部材本体２０Ａ及び腹側延出部２１Ａを備え、おむつ１Ａの背側シート部材２Ｂは、背側シート部材本体２０Ｂ及び背側延出部２１Ｂを備えており、腹側シート部材本体２０Ａ及び背側シート部材本体２０Ｂそれぞれは、図２に示すように、縦方向（Ｙ方向）に離間させて配され且つ幅方向（Ｘ方向）に伸長した状態で配された複数本の弾性部材２４を有しており、腹側延出部２１Ａ及び背側延出部２１Ｂそれぞれも、図２に示すように、縦方向（Ｙ方向）に離間させて配され且つ幅方向（Ｘ方向）に伸長した状態で配された複数本の弾性部材２４を有している。おむつ１Ａにおける腹側シート部材２Ａ（腹側シート部材本体２０Ａ、腹側延出部２１Ａ）及び背側シート部材２Ｂ（背側シート部材本体２０Ｂ及び背側延出部２１Ｂ）は何れも、図２に示すように、おむつの外面をなす外層シート２２と、外層シート２２の内面側に配された内層シート２３と、両シート２２，２３間に、幅方向（Ｘ方向）に伸長した状態の複数本の弾性部材２４とを備えており、複数本の弾性部材２４は、縦方向（Ｙ方向）に離間させて配され、弾性部材２４の収縮により、ウエスト伸縮部Ｇ１、胴回り伸縮部Ｇ２、延出部伸縮部Ｇ３を形成する。第１実施形態のおむつ１Ａにおいては、外層シート２２は、図２に示すように、外層シート２２と内層シート２３とによって複数本の糸状の弾性部材２４を挟持固定する領域よりも更に縦方向（Ｙ方向）に延出する長さを有しており、外層シート２２における内層シート２３よりも延出した延出領域は、吸収性本体３側に折り返され、吸収性本体３の縦方向（Ｙ方向）の端部３ａ，３ｂを覆う位置まで延出し、接着剤（図示せず）を介して内層シート２３に接着されている。
【００２３】
図２に示すように、ウエスト伸縮部Ｇ１は、腹側シート部材２Ａ及び背側シート部材２Ｂのそれぞれにおいて、吸収性本体３の縦方向（Ｙ方向）の端部３ａ，３ｂより外方に形成されている。胴回り伸縮部Ｇ２は、腹側シート部材２Ａ及び背側シート部材２Ｂのそれぞれにおいて、おむつ１Ａの縦方向（Ｙ方向）における、ウエスト伸縮部Ｇ１と腹側延出部２１ａ又は背側延出部２１ｂとの間に形成されている。延出部伸縮部Ｇ３は、腹側延出部２１ａ及び背側延出部２１ｂに形成されている。
【００２４】
ウエスト伸縮部Ｇ１を形成する弾性部材２４は、腹側シート部材２Ａ及び背側シート部材２Ｂの全幅に亘って延びて配されている。胴回り伸縮部Ｇ２、延出部伸縮部Ｇ３を形成する弾性部材２４は、第１実施形態においては、吸収性本体３の有する吸収体３３と重なる部分においては、熱処理等により弾性部材２４の弾性を喪失させたり、弾性部材２４を切断したりする等により、弾性部材２４が存在しないか、存在しても腹側シート部材２Ａ及び背側シート部材２Ｂに伸縮性を付与しないような状態で配されており、吸収体３３と重なる部分以外においては、腹側シート部材２Ａ及び背側シート部材２Ｂに伸縮性を付与するように幅方向（Ｘ方向）に延びて配されている。
【００２５】
上述したように、第１実施形態のおむつ１においては、腹側シート部材２Ａにも腹側延出部２１Ａが形成されているため、おむつ１を腹側部Ａ側から見たときも、ふんどしのような外観を呈さず外観が良好である。
また、第１実施形態のおむつ１においては、腹側延出部２１Ａ及び背側延出部２１Ｂそれぞれに形成された延出部伸縮部Ｇ３が、それぞれに配された弾性部材２４によって適度に収縮するため、おむつ１を着用したときに、腹側シート部材２Ａの腹側延出部２１Ａに存する側縁部２１ａと、背側シート部材２Ｂの背側延出部２１Ｂに存する側縁部２１ｂが、図１（ｂ）に示すように、腹側部方向と背側部方向に分かれて逆Ｙ字状に開く。そのため、おむつ１を側方から見たときの外観が良好であり、漏れにくい印象を与えるものとなる。
【００２６】
また、上述したように、第１実施形態のおむつ１においては、腹側シート部材２Ａにも腹側延出部２１Ａが形成されており、その腹側延出部２１Ａに、おむつ横方向に伸縮する延出部伸縮部Ｇ３が形成されているため、腹側延出部２１Ａが鼠蹊部を覆うように面で当接し、排尿がなされた場合、その増加した重量を、腹側延出部２１Ａ並びにその上の腹側シート部材本体２０Ａ及び背側シート部材本体２０Ｂにて支えることとなり、圧力の分散により、脚廻りにゴム跡等がより付きにくくなる。
【００２７】
また、上述したように、本実施形態のおむつ１においては、背側シート部材２Ｂにも背側延出部２１Ｂを有し、且つ、おむつ横方向に伸縮する延出部伸縮部Ｇ３が形成されているため、背側延出部２１Ｂが臀部を覆うように面で当接し、従来のおむつ（腹側シート部材２Ａの両側縁部と背側シート部材２Ｂの両側縁部とがおむつ縦方向の全域で接合されているおむつ）に比して、着用者の臀部の一部がはみ出した状態となりにくい。
【００２８】
吸収性本体３は、縦方向（Ｙ方向）の端部３ａ側の領域が、腹側シート部材２Ａに接着剤７を介して固定され、縦方向（Ｙ方向）の端部３ｂ側の領域が、背側シート部材２Ｂに接着剤７を介して固定されている。詳述すると、第１実施形態のおむつ１Ａの腹側部Ａの接着剤７は、図２に示すように、Ｘ方向においては、吸収性本体３の両側部３ｃ，３ｃそれぞれの外縁どうしの間に亘って塗布され、Ｙ方向においては、吸収体３３の有する一対の非積繊部３４における後述する腹側端部３４ａの先端どうしを結ぶ仮想線を含んで、該仮想線から外方に塗布されていることが好ましく、腹側延出部２１Ａの見栄えの観点から、Ｙ方向においては、図２に示すように、前記仮想線と腹側シート部材本体２０Ａの下縁２００との間の位置よりも外方に塗布されていることが更に好ましい。
【００２９】
また、第１実施形態のおむつ１Ａの背側部Ｂの接着剤７は、図２に示すように、Ｘ方向においては、吸収性本体３の両側部３ｃ，３ｃそれぞれの外縁どうしの間に亘って塗布され、Ｙ方向においては、吸収体３３の有する一対の非積繊部３４における後述する背側端部３４ｂの先端どうしを結ぶ仮想線を含んで、該仮想線から外方に塗布されていることが好ましく、臀部のはみ出しを防止する観点から、Ｙ方向においては、図２に示すように、前記仮想線に重なる位置から外方に塗布されていることが更に好ましい。
第１実施形態のおむつ１Ａにおいては、背側部Ｂにおける接着剤７のＹ方向内方側の端縁と一対の非積繊部３４における後述する背側端部３４ｂの先端との間の間隔が、腹側部Ａにおける接着剤７のＹ方向内方側の端縁と一対の非積繊部３４における後述する腹側端部３４ａの先端との間の間隔よりも短く形成されている。
【００３０】
吸収体３３の有する一対の非積繊部３４それぞれは、図２に示すように、腹側シート部材２Ａと背側シート部材２Ｂとに跨っており、第１実施形態のおむつ１Ａにおいては、非積繊部３４の縦方向（Ｙ方向）の腹側端部３４ａが腹側延出部２１Ａと重なり、非積繊部３４の縦方向（Ｙ方向）の背側端部３４ｂが背側延出部２１Ｂと重なっている。詳述すると、一対の非積繊部３４それぞれは、第１実施形態のおむつ１Ａにおいては、図２に示すように、非積繊部３４の縦方向（Ｙ方向）の腹側端部３４ａが、腹側シート部材２Ａにおける腹側延出部２１Ａと重なる位置から、非積繊部３４の縦方向（Ｙ方向）の背側端部３４ｂが、背側シート部材２Ｂにおける背側延出部２１Ｂと重なる位置まで、吸収体３３の側縁部３３ｃに沿って延在している。
【００３１】
幅方向（Ｘ方向）における吸収体３３の幅Ｗ１は、腹側シート部材２Ａ及び背側シート部材２Ｂの図２に示す状態の幅方向（Ｘ方向）の幅Ｗの３５〜６５％、特に４０〜６０％であることが好ましい。幅方向（Ｘ方向）における各非積繊部３４の幅Ｗ２は、おむつ装着時において足周りにフィットしつつ歩行時の足の動きを束縛しないように、吸収体３３が外方に凸状のポケットを形成し易いと共に、股下部Ｃにおいて十分な吸収性能を確保するといった観点から、吸収体３３の幅Ｗ１の２〜３０％、特に５〜２０％であることが好ましい。各非積繊部３４の幅Ｗ２は、幼児用のおむつの場合には、２〜３０ｍｍであることが好ましく、５〜２５ｍｍであることがより好ましく、成人用のおむつの場合には、３〜４０ｍｍであることが好ましく、５〜３０ｍｍであることがより好ましい。
縦方向（Ｙ方向）における非積繊部３４の長さＬ５は、吸収体３３の縦方向（Ｙ方向）の長さＬ４の２０〜７０％、特に３０〜６０％であることが好ましい。
【００３２】
第１実施形態のおむつ１Ａにおいては、非積繊部３４の腹側端部３４ａが腹側延出部２１Ａと重なっている領域、及び非積繊部３４の背側端部３４ｂが背側延出部２１Ｂと重なっている領域においては、弾性部材２４が配されていない。ここで、「弾性部材２４が配されていない」とは、弾性部材２４が存在しないか、存在したとしても腹側シート部材２Ａ及び背側シート部材２Ｂに伸縮性を付与しないような状態で配されている場合も含む意味である。上述したように、延出部伸縮部Ｇ３を形成する弾性部材２４は、第１実施形態においては、吸収性本体３の有する吸収体３３と重なる部分においては、弾性部材２４が存在しないか、存在しても腹側シート部材２Ａ及び背側シート部材２Ｂに伸縮性を付与しないような状態で配されており、例えば、図３に示すように、非積繊部３４の腹側端部３４ａが腹側延出部２１Ａと重なっている領域には、弾性部材２４が配されていない。尚、第１実施形態のおむつ１Ａにおいては、吸収体３３と重なる部分全域において、延出部伸縮部Ｇ３を形成する弾性部材２４が存在しないか、存在しても腹側シート部材２Ａ及び背側シート部材２Ｂに伸縮性を付与しないような状態で配されているが、非積繊部３４の腹側端部３４ａが腹側延出部２１Ａと重なっている領域のみそのような状態であればよく、非積繊部３４の腹側端部３４ａが腹側延出部２１Ａと重なっている領域以外の吸収体３３の領域においては、延出部伸縮部Ｇ３を形成する弾性部材２４が存在していてもよい。
【００３３】
吸収体３の有する高坪量部３５は、第１実施形態のおむつ１Ａにおいては、図２に示すように、腹側延出部２１Ａと背側延出部２１Ｂとに跨っている。詳述すると、Ｔ字型状の高坪量部３５は、図２に示すように、腹側シート部材２Ａの吸収容量が多くなるように、腹側シート部材２Ａの腹側シート部材本体２０Ａから、腹側延出部２１Ａを横断し、背側シート部材２Ｂの背側延出部２１Ｂに亘って配されている。
【００３４】
吸収性本体３の両側部３ｃ，３ｃそれぞれに配された立体ギャザー４は、第１実施形態のおむつ１Ａにおいては、図２，図４に示すように、吸収性本体３の側部３ｃから幅方向（Ｘ方向）内方に延出する第１立体ギャザー４ａと、吸収性本体３の側部３ｃから幅方向（Ｘ方向）外方に延出する第２立体ギャザー４ｂとからなる。第１立体ギャザー４ａ及び第２立体ギャザー４ｂそれぞれは、パンツ型吸収性物品の展開且つ伸長状態において、立体ギャザー形成用シート４０と、立体ギャザー形成用シート４０の縦方向（Ｙ方向）に伸長状態で配された複数本の弾性部材４１とから形成される。具体的には、第１実施形態のおむつ１Ａにおいては、図４に示すように、立体ギャザー形成用シート４０は、一枚のシートであり、第１立体ギャザー４ａの自由端側の頂部となる折れ線に沿って二つ折りされて二枚重ねのシートとされ、この二枚重ねのシートの間に縦方向（Ｙ方向）に伸長状態の複数本の弾性部材４１を配して接着剤により固定して第１立体ギャザー４ａが形成されている。
【００３５】
さらに、第１実施形態のおむつ１Ａにおいては、図４に示すように、二枚重ねのシートは、幅方向（Ｘ方向）の外方に延出し、第２立体ギャザー４ｂの自由端側の頂部となる折れ線に沿って更に二つ折りされて四枚重ねのシートとされ、この四枚重ねのシートを構成する二枚重ねのシート同士の間に縦方向（Ｙ方向）に伸長状態の複数本の弾性部材４１を配して接着剤により固定して第２立体ギャザー４ｂが形成されている。第１実施形態のおむつ１Ａにおいては、表面シート３１が、図４に示すように、裏面シート３２よりも幅方向（Ｘ方向）に長く形成されており、上述した二枚重ねのシートどうしは、吸収体３３の幅方向（Ｘ方向）の外方端縁から延出した表面シート３１の延出部分と、吸収体３３の幅方向（Ｘ方向）の外方端縁からやや外方の位置に形成された第１線状接合部６ａにおいて接合一体化されている。また、上述した二枚重ねのシートの先端部は、最終的に、図４に示すように、吸収体３３と裏面シート３２との間に配され、接着剤により接合一体化されている。このように形成された第１立体ギャザー４ａは、複数本の弾性部材４１の収縮により、着用者の肌側に向かって幅方向（Ｘ方向）内方（中心線ＣＬ側）に起立する。また、このように形成された第２立体ギャザー４ｂは、複数本の弾性部材４１の収縮により、着用者の肌側に向かって幅方向（Ｘ方向）外方（中心線ＣＬと反対側）に起立する。
【００３６】
第１線状接合部６ａは、長方形状の吸収性本体３の両側縁部それぞれに沿って延びており、また、吸収性本体３の縦方向（Ｙ方向）の全長に亘って延びている。第１線状接合部６ａは、連続直線状に形成されていることが好ましいが、点線状に形成されていても良い。また、第１線状接合部６ａを形成する際の接合方法としては、ヒートシール、超音波シール、高周波シール、接着剤の各種公知の接合方法が用いられる。
【００３７】
第１実施形態のおむつ１Ａにおいては、第１立体ギャザー４ａ及び第２立体ギャザー４ｂを形成する複数本の弾性部材４１は、それらの腹側部Ａ側の端部が、上述した吸収性本体３と腹側シート部材２Ａとを固定するために塗布された接着剤７の塗布領域に至っており、それらの背側部Ｂ側の端部が、上述した吸収性本体３と背側シート部材２Ｂとを固定するために塗布された接着剤７の塗布領域に至っている。このように第１立体ギャザー４ａ及び第２立体ギャザー４ｂを形成する複数本の弾性部材４１が配されることにより、着用時に、吸収性本体３の有する吸収体３３が外方に凸状のポケットを形成し易い。
【００３８】
第１実施形態のパンツ型使い捨ておむつ１Ａの形成材料について説明する。
腹側シート部材２Ａ及び背側シート２Ｂそれぞれを構成する外層シート２２と内層シート２３としては、通常、使い捨ておむつ等の吸収性物品に用いられるものであれば、特に制限なく用いることができる。例えば、外層シート２２及び内層シート２３としては、撥水性の不織布等を用いることができる。
【００３９】
吸収性本体３を構成する表面シート３１及び裏面シート３２としては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。
【００４０】
立体ギャザー４を形成する立体ギャザー形成用シート４０としては、通常、使い捨ておむつ等の吸収性物品に用いられるものであれば、特に制限なく用いることができる。例えば、立体ギャザー形成用シート４０としては、液抵抗性又は撥水性で且つ通気性の、伸縮性フィルム、不織布、織物またはそれらの積層シート等を用いることができる。
【００４１】
腹側シート部材２Ａ及び背側シート２Ｂに配される弾性部材２４、立体ギャザー形成用シート４０に配される弾性部材４１（第１弾性部材４１ａを含む）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００４２】
上述した本発明の第１施形態のパンツ型使い捨ておむつ１Ａを使用した際の作用効果について説明する。
第１実施形態のおむつ１Ａは、図１，図２に示すように、腹側シート部材２Ａと、背側シート部材２Ｂと、吸収性本体３とを具備しており、吸収性本体の有する吸収体３３には、一対の非積繊部３４が、吸収体３３の両側縁部３３ｃ，３３ｃそれぞれに沿って、腹側シート部材２Ａと背側シート部材２Ｂとに跨って配されている。前述したように、腹側シート部材２Ａおよび背側シート部材２Ｂに矩形状のシートを用いた場合、特に股下部Ｃにおいて足周りを覆う部材が存在せず、股下部Ｃからのモレ、および股下部Ｃにおける隙間に起因するモレへの不安感が生じてしまうことが大きな課題であった。この課題を解決するには、いかにして股下部Ｃにおける吸収体３３の着用者に対するフィット性を上げるかが重要となる。第１実施形態のように配された一対の非積繊部３４を備えるおむつ１Ａを着用すると、弾性部材４１の収縮による立体ギャザー４の形成に伴い、股下部Ｃにおける吸収体３３が非積繊部３４を起点に折れ曲がり、外方に凸状のポケットを形成する。特に、非積繊部３４が腹側シート部材２Ａ及び背側シート部材２Ｂそれぞれの存在域まで達していること、および腹側シート部材２Ａおよび背側シート部材２Ｂと、吸収体の非積繊部の長手方向端部が重なりあう部位において接合されていないことによって、股下部Ｃ全域において吸収体３３が折れ曲がりやすくなり、着用者の肌へのフィット性がより一層向上する。従って、第１実施形態のおむつ１Ａは、着用者の腹側に配される腹側シート部材２Ａと着用者の背側に配される背側シート部材２Ｂとに分割されたタイプのパンツ型吸収性物品でありながら、着用時には、吸収性本体３の有する吸収体３３がポケットを形成するので、吸収性本体３が着用者の歩行動作を妨げ難く、吸収性本体からの漏れを確実に防止することができる。
【００４３】
また、第１実施形態のおむつ１Ａは、図３に示すように、非積繊部３４の腹側端部３４ａが腹側延出部２１Ａと重なっている領域、及び非積繊部３４の背側端部４ｂが背側延出部２１Ｂと重なっている領域においては、腹側シート部材２Ａおよび背側シート部材２Ｂの有する弾性部材２４が配されておらず、且つ非積繊部３４の幅方向（Ｘ方向）外方縁から腹側シート部材２Ａおよび背側シート部材２Ｂそれぞれの幅方向（Ｘ方向）外方縁にかけて弾性部材２４が存在するので、弾性部材２４の収縮力により非積繊部３４自体に収縮が生じないのみならず、非積繊部３４が弾性部材２４の収縮力により幅方向（Ｘ方向）に引っ張られ、折れ曲がりの基点となるべき非伸縮部の形状がより一層顕著に保たれ、股下部Ｃにおいて外方に凸状のポケットを更に形成しやすくなるといった相乗効果が得られるようになる。
【００４４】
また、第１実施形態のおむつ１Ａは、図２，図４に示すように、吸収性本体３の側部３ｃから幅方向（Ｘ方向）内方に延出する第１立体ギャザー４ａと、幅方向（Ｘ方向）外方に延出する第２立体ギャザー４ｂとを備えているので、着用時に吸収性本体３からの漏れを低減できるとともに、第１立体ギャザー４ａ及び第２立体ギャザー４ｂを形成する複数本の弾性部材４１の収縮力により、股下部Ｃにおける吸収体３３が非積繊部３４を起点に確実に折れ曲がり、外方に凸状のポケットを更に形成し易い。
【００４５】
また、第１実施形態のおむつ１Ａは、図２，図４に示すように、吸収体３は高坪量部３５を有し、高坪量部３５は腹側延出部２１Ａと背側延出部２１Ｂとに跨っている（股下部Ｃ全域に配置されている）。その為、モレに課題のある第１実施形態のおむつ１Ａの股下部Ｃ全域の吸収容量を確実に増加させることが可能となり、吸収性本体３からの漏れをより一層低減できる。更に、高坪量部３５と非積繊部３４の幅方向（Ｘ方向）に存在する吸収体３３の側縁部３３ｃとの坪量差が顕著になり、着用時において、非積繊部３４における高坪量部３５側の縁部を起点に更に折れ曲がり易く、吸収体３３に外方に凸状のポケットを更に形成し易くなる。
【００４６】
次に、本発明の第２実施形態のパンツ型使い捨ておむつについて、図５に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、パンツ型使い捨ておむつ１Ａと同様であり、パンツ型使い捨ておむつ１Ａの説明が適宜適用される。
【００４７】
第２実施形態のおむつ１Ｂの吸収性本体３は、縦方向（Ｙ方向）の端部３ａ側の領域が、腹側シート部材２ＡにＴ字状に塗布された接着剤７を介して固定され、縦方向（Ｙ方向）の端部３ｂ側の領域が、背側シート部材２Ｂに逆Ｔ字状に塗布された接着剤７を介して固定されている。詳述すると、第２実施形態のおむつ１Ｂの腹側部Ａの接着剤７は、図５に示すように、胴回り伸縮部Ｇ２においては、収性本体３の両側部３ｃ，３ｃそれぞれの外縁どうしの間に亘って塗布され、且つ延出部伸縮部Ｇ３においては、一対の非積繊部３４どうしの間に亘って塗布されている。同様に、第２実施形態のおむつ１Ｂの背側部Ｂの接着剤７は、図５に示すように、胴回り伸縮部Ｇ２においては、収性本体３の両側部３ｃ，３ｃそれぞれの外縁どうしの間に亘って塗布され、且つ延出部伸縮部Ｇ３においては、一対の非積繊部３４どうしの間に亘って塗布されている。
【００４８】
第２実施形態のおむつ１Ｂは、図５に示すように、おむつ１Ａと異なる形状の一対の非積繊部３４を有している。具体的には、図５に示すように、おむつ１Ｂの吸収体３３の有する一対の非積繊部３４は、腹側部Ａにはおむつ１Ａと同様に、閉じられた腹側端部３４ａを備えているが、背側部Ｂにおいては背側端部３４ｂが高坪量部３５の外縁部に沿って開放しており、閉じられていない。第２実施形態のおむつ１Ｂにおいては、非積繊部３４の腹側端部３４ａが腹側延出部２１Ａと重なっている領域に弾性部材２４が配されておらず、非積繊部３４の背側部Ｂ側の開放された領域においても弾性部材２４が配されていない。
【００４９】
第２実施形態のパンツ型使い捨ておむつ１Ｂの形成材料について説明する。
第２実施形態のパンツ型使い捨ておむつ１Ｂの形成材料は、第１実施形態のパンツ型使い捨ておむつ１Ａの形成材料と同様である。
【００５０】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の使い捨ておむつ１Ａの効果の説明が適宜適用される。
【００５１】
また、第２実施形態のおむつ１Ｂは、吸収性本体３は、縦方向（Ｙ方向）の端部３ａ側の領域が、腹側シート部材２ＡにＴ字状に塗布された接着剤７を介して固定され、縦方向（Ｙ方向）の端部３ｂ側の領域が、背側シート部材２Ｂに逆Ｔ字状に塗布された接着剤７を介して固定されている。即ち、腹側シート部材２Ａ及び背側シート部材２Ｂそれぞれの延出部伸縮部Ｇ３相当部位の幅方向（Ｘ方向）中央部においては、吸収性本体３と固定されているので美観性が良く、且つ、第1実施形態同様、腹側シート部材２Ａおよび背側シート部材２Ｂと、吸収体３３の非積繊部３４の長手方向（Ｙ方向）両端部３４ａ，３４ｂそれぞれとが重なりあう部位において接合されていないので、股下部Ｃ全域において吸収体３３が折れ曲がりやすくなり、着用者の肌へのフィット性がより一層向上する。
【００５２】
次に、本発明の第３実施形態のパンツ型使い捨ておむつについて、図６，図７に基づいて説明する。
第３実施形態のパンツ型使い捨ておむつ１Ｃ（以下、「おむつ１Ｃ」ともいう）については、第１実施形態のパンツ型使い捨ておむつ１Ａと異なる点について説明する。特に説明しない点は、パンツ型使い捨ておむつ１Ａと同様であり、パンツ型使い捨ておむつ１Ａの説明が適宜適用される。
【００５３】
第３実施形態のおむつ１Ｃの吸収性本体３は、縦方向（Ｙ方向）の端部３ａ側の領域が、腹側シート部材２Ａに接着剤７を介して固定され、縦方向（Ｙ方向）の端部３ｂ側の領域が、背側シート部材２Ｂに接着剤７を介して固定されている。詳述すると、第３実施形態のおむつ１Ｃにおいては、図６に示すように、吸収性本体３の端部３ａ側の領域と腹側シート部材２Ａの幅方向（Ｘ方向）の中央部とが、腹側シート部材２Ａの延出部伸縮部Ｇ３の縦方向（Ｙ方向）の端縁と吸収性本体３の端部３ａの縁との間に亘って塗布され、且つ収性本体３の両側部３ｃ，３ｃそれぞれの縁どうしの間に亘って全面に塗布された接着剤７により固定されている。同様に、第３実施形態のおむつ１Ｃにおいては、図６に示すように、吸収性本体３の端部３ｂ側の領域と、背側シート部材２Ｂの幅方向（Ｘ方向）の中央部とが、背側シート部材２Ｂの延出部伸縮部Ｇ３の縦方向（Ｙ方向）の端縁と吸収性本体３の端部３ｂの縁との間に亘って塗布され、且つ収性本体３の両側部３ｃ，３ｃそれぞれの縁どうしの間に亘って全面に塗布された接着剤７により固定されている。
【００５４】
第３実施形態のおむつ１Ｃは、図６に示すように、おむつ１Ａと異なる構成の吸収体３３を有している。具体的には、図６に示すように、おむつ１Ｃの吸収体３３は、高坪量部３５（上部吸収層）を有しておらず、縦方向（Ｙ方向）に長い矩形状の下部吸収層のみからなる単層構造である。おむつ１Ｃの吸収体３３の有する一対の非積繊部３４，３４は、おむつ１Ａと同様に、その腹側端部３４ａが腹側延出部２１Ａと重なり、その背側端部３４ｂが背側延出部２１Ｂと重なるように、吸収体３３の両側縁部に沿って延在している。おむつ１Ｃの吸収体３３は、一対の非積繊部３４，３４とは別に、一対の非積繊部３４，３４どうしの中間位置に、中央非積繊部３７を有している。中央非積繊部３７は、その縦方向（Ｙ方向）の腹側部Ａ側の端部３７ａが、一対の非積繊部３４，３４それぞれの腹側端部３４ａ，３４ａの位置より腹側部Ａ側に延出しており、その縦方向（Ｙ方向）の背側部Ｂ側の端部３７ｂが、一対の非積繊部３４，３４それぞれの腹側端部３４ａ，３４ａの位置と背側端部３４ｂ，３４ｂの位置との略中間の位置まで延出している。
【００５５】
第３実施形態のおむつ１Ｃの吸収体３３は、図６に示すように、中央非積繊部３７と一対の非積繊部３４，３４とが縦方向（Ｙ方向）に並列している領域（以下、並列領域ともいう）を有している。吸収体３３が前記並列領域を有することにより、おむつ着用時に、前記並列領域における吸収体３３が、中央非積繊部３７が山部、一対の非積繊部３４，３４それぞれが谷部となるように、Ｗ字状に屈曲する。
股下部Ｃにおいて吸収体３３がＷ字状に屈曲することにより、吸収体３３が、着用者の脚より加えられる圧力に対して柔軟に変形し、脚に加わる圧力やそれによる抵抗感や違和感等が軽減される。
【００５６】
また、吸収性本体３における中央非積繊部３７を有する部分が、着用者の排尿部に密着しやすくなるため、尿が吸収体３３内にスムーズに吸収される。そのため、尿が肌上や表面シート上を流れて前方から漏れ出したり、後方に流れた尿が大便と混ざって大便が肌に付着し易くするといったことを防止することができる。
【００５７】
このような効果を一層確実に得る観点から、中央非積繊部３７は、その縦方向（Ｙ方向）の腹側部Ａ側の端部３７ａが、非積繊部３４の腹側部側の端部３４ａの位置から５〜４０ｃｍ延出していることが好ましく、１０〜３０ｃｍ延出していることが更に好ましい。
【００５８】
また、第３実施形態のおむつ１Ｃにおいては、前述したように、中央非積繊部３７は、その縦方向（Ｙ方向）の背側部Ｂ側の端部３７ｂが、一対の非積繊部３４，３４それぞれの腹側端部３４ａ，３４ａの位置と背側端部３４ｂ，３４ｂの位置との略中間の位置に延出している。言い換えれば、吸収体３３の背側部Ｂ側においては、一対の非積繊部３４，３４の背側端部３４ｂ，３４ｂが、それぞれ、中央非積繊部３７の端部３７ｂの位置より延出している。そのため、おむつ縦方向（Ｙ方向）における前記並列領域より背側部Ｂ側の吸収体３３が、おむつ着用時に、中央非積繊部３７において屈曲することなく一対の非積繊部３４，３４で屈曲する。したがって、並列領域より背側部Ｂ側の大便の排泄部（肛門）付近に、吸収体３３が肌側にむかって凹状に屈曲した部分が生じ、それにより、着用者の肌と吸収性本体３との間に大便を良好に保持可能な上向きのポケットが形成される。しかも、尿については、並列領域及びそれより腹側部Ａ側に中央非積繊部３７が存在することによって、吸収体３３に速やかに吸収されるとともに腹側部Ａ側に誘導されるため、尿が大便と混ざりにくくなっている。
これにより、大便が肌に密着することによる不快感や肌に付着した大便の拭き取り作業の労力等が防止ないし大幅に軽減される。また、大便の漏れ防止性にも優れている。
【００５９】
このような効果を一層確実に得る観点から、一対の非積繊部３４，３４は、その背側端部３４ｂ，３４ｂそれぞれが、中央非積繊部３７の端部３７ｂの位置から２０〜１２０ｃｍ延出していることが好ましく、４０〜１００ｃｍ延出していることが更に好ましい。
【００６０】
第３実施形態のおむつ１Ｃの備える吸収体３３は、図６，図７に示すように、その両側縁部３３ｃ，３３ｃそれぞれに、縦方向（Ｙ方向）に伸長した状態で配された吸収体用弾性部材３６を有している。各吸収体用弾性部材３６は、吸収体３３の側縁部３３ｃの先端に配され、縦方向（Ｙ方向）に伸長した状態で腹側シート部材２Ａと背側シート部材２Ｂとの間に亘って配されている。
【００６１】
吸収性本体３の両側部３ｃ，３ｃそれぞれに配された立体ギャザー４は、第３実施形態のおむつ１Ｃにおいては、図６，図７に示すように、吸収性本体３の側部３ｃから幅方向（Ｘ方向）内方に延出する第１立体ギャザー４ａのみからなる。第１立体ギャザー４ａは、パンツ型吸収性物品の展開且つ伸長状態において、立体ギャザー形成用シート４０と、立体ギャザー形成用シート４０の縦方向（Ｙ方向）に伸長状態で配された複数本の弾性部材４１及び中間弾性部材４２とから形成される。具体的には、第３実施形態のおむつ１Ｃにおいては、図７に示すように、立体ギャザー形成用シート４０は、一枚のシートであり、第１立体ギャザー４ａの自由端側の頂部となる折れ線に沿って二つ折りされて二枚重ねのシートとされ、この二枚重ねのシートの間に縦方向（Ｙ方向）に伸長状態の複数本の弾性部材４１を配して接着剤により固定して第１立体ギャザー４ａが形成されている。また、二枚重ねのシートの間であって、吸収体３３の幅方向（Ｘ方向）の外方端縁からやや外方の位置に、縦方向（Ｙ方向）に伸長状態の中間弾性部材４２を配して接着剤により固定して第１立体ギャザー４ａが形成されている。
【００６２】
第３実施形態のおむつ１Ｃにおいては、表面シート３１が、図７に示すように、裏面シート３２よりも幅方向（Ｘ方向）に長く形成されており、吸収体３３の両側縁部３３ｃ，３３ｃから幅方向（Ｘ方向）外方に延出した部分が、吸収体３３の裏面シート３側に折り返され、上述した二枚重ねのシートの先端部は、最終的に、図７に示すように、吸収体３３の裏面シート３側に折り返された表面シート３１と裏面シート３２との間に配され、吸収体３３の非積繊部３４の位置に形成された第４線状接合部６ｄにおいて接合一体化されている。このように形成された第１立体ギャザー４ａは、複数本の弾性部材４１及び中間弾性部材４２の収縮により、着用者の肌側に向かって幅方向（Ｘ方向）内方（中心線ＣＬ側）に起立する。尚、第４線状接合部６ｄの位置は、立体ギャザーの起立性の観点から、吸収体３３の非積繊部３４の直下の位置又は非積繊部３４の位置より中心線ＣＬ寄りの位置であることが好ましい。
【００６３】
第４線状接合部６ｄは、長方形状の吸収性本体３の両側縁部それぞれに沿って延びており、また、吸収性本体３の縦方向（Ｙ方向）の全長に亘って延びている。第４線状接合部６ｄは、連続直線状に形成されていることが好ましいが、点線状に形成されていても良い。また、第４線状接合部６ｄを形成する際の接合方法としては、ヒートシール、超音波シール、高周波シール、接着剤の各種公知の接合方法が用いられる。
【００６４】
第３実施形態のおむつ１Ｃにおいては、第１立体ギャザー４ａを形成する複数本の弾性部材４１及び中間弾性部材４２は、吸収体３３の有する非積繊部３４の腹側端部３４ａと背側端部３４ｂとの間に亘って伸縮を発現する状態で配されている。このように第１立体ギャザー４ａを形成する複数本の弾性部材４１及び中間弾性部材４２が配されることにより、着用時に、吸収性本体３の有する吸収体３３が外方に凸状のポケットを形成し易い。
【００６５】
第３実施形態のパンツ型使い捨ておむつ１Ｃの形成材料について説明する。
吸収体３３に配される吸収体用弾性部材３６、及び第１立体ギャザー４ａを形成する中間弾性部材４２は、第１実施形態のパンツ型使い捨ておむつ１Ａの立体ギャザー４に配される弾性部材４１と同じである。その他の形成材料も、第１実施形態のおむつ１Ａの形成材料と同様である。
【００６６】
上述した本発明の第３実施形態のパンツ型使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の使い捨ておむつ１Ａの効果の説明が適宜適用される。
【００６７】
第３実施形態のおむつ１Ｃは、図７に示すように、吸収体３３の両側縁部３３ｃ，３３ｃそれぞれに吸収体用弾性部材３６を有している。また、第３実施形態のおむつ１Ｃは、図６，図７に示すように、吸収体３３が、一対の非積繊部３４，３４と、一対の非積繊部３４，３４は別に、中央非積繊部３７とを有している。その為、着用時に吸収体用弾性部材３６を配した吸収体３３の両側縁部３３ｃ，３３ｃ側が持ち上がり易く、股下部Ｃにおける吸収体３３が非積繊部３４を起点に折れ曲がり、外方に凸状のポケットを形成し易い。
また、吸収体３３の両側縁部３３ｃ，３３ｃが、図７に示すように、第１立体ギャザー４ａに拘束されていないため、図６に示すように、吸収性本体３と腹側シート部材２Ａおよび背側シート部材２Ｂそれぞれとが重なるほぼ全域において接着剤７により固定されたとしても、股下部Ｃにおける吸収体３３の両側縁部３３ｃ，３３ｃの起立性が損なわれることはない。尚、衣服としての外観の観点からは、腹側シート部材２Ａの腹側延出部２１Ａおよび背側シート部材２Ｂの背側延出部２１Ｂそれぞれは、吸収体３３と接着した方が良く、特に背側においては臀部のはみ出しを防止するといった観点からこのような仕様形態であることが好ましい。
【００６８】
本発明のパンツ型吸収性物品は、上述の第１，第２，第３実施形態のパンツ型使い捨ておむつに何ら制限されるものではなく、適宜変更可能である。また、上述の第１，第２，第３実施形態のパンツ型使い捨ておむつにおける各構成要件は、本発明の趣旨を損なわない範囲で、適宜組み合わせて実施できる。
【００６９】
例えば、上述の第１，第２，第３実施形態のパンツ型使い捨ておむつ１Ａ，１Ｂ，１Ｃにおいては、図２，図５，図６に示すように、腹側シート部材２Ａが、腹側シート部材本体２０Ａ、及び着用時に腹側シート部材本体２０Ａの下縁２００に沿って下方に延出する腹側延出部２１Ａを備えており、背側シート２Ｂが、背側シート部材本体２０Ｂ、及び背側延出部２１Ｂを備えているが、腹側延出部２１Ａ及び背側延出部２１Ｂの一方を備えていなくてもよく、何れも備えていなくてもよい。
【００７０】
第３実施形態のパンツ型使い捨ておむつ１Ｃにおいては、立体ギャザー４が、図８に示すように、吸収性本体３の側部３ｃから幅方向（Ｘ方向）内方に延出する第１立体ギャザー４ａと、吸収性本体３の側部３ｃから幅方向（Ｘ方向）外方に延出する第２立体ギャザー４ｂとから形成されていてもよい。詳述すると、図８に示す第１立体ギャザー４ａ及び第２立体ギャザー４ｂそれぞれは、パンツ型吸収性物品の展開且つ伸長状態において、立体ギャザー形成用シート４０と、立体ギャザー形成用シート４０の縦方向（Ｙ方向）に伸長状態で配された複数本の弾性部材４１とから形成されている。図８に示すように、立体ギャザー形成用シート４０は、一枚のシートであり、第１立体ギャザー４ａの自由端側の頂部となる折れ線に沿って二つ折りされて二枚重ねのシートとされ、この二枚重ねのシートの間に縦方向（Ｙ方向）に伸長状態の複数本の弾性部材４１を配して接着剤により固定して第１立体ギャザー４ａが形成されている。
【００７１】
さらに、図８に示すように、二枚重ねのシートは、幅方向（Ｘ方向）の外方に延出し、第２立体ギャザー４ｂの自由端側の頂部となる折れ線に沿って更に二つ折りされて四枚重ねのシートとされ、この四枚重ねのシートを構成する二枚重ねのシート同士の間に縦方向（Ｙ方向）に伸長状態の複数本の弾性部材４１を配して接着剤により固定して第２立体ギャザー４ｂが形成されている。表面シート３１は、図８に示すように、裏面シート３２よりも幅方向（Ｘ方向）に長く形成されたあと、吸収体３３の両側縁部３３ｃ，３３ｃから幅方向（Ｘ方向）外方に延出した部分が、吸収体３３の裏面シート３側に折り返され、上述した二枚重ねのシートの先端部は、最終的に、図８に示すように、吸収体３３の裏面シート３側に折り返された表面シート３１と裏面シート３２との間に配され、吸収体３３の非積繊部３４の位置に形成された第３線状接合部６ｃ付近において接合一体化されている。このように形成された第１立体ギャザー４ａは、複数本の弾性部材４１の収縮により、着用者の肌側に向かって幅方向（Ｘ方向）内方（中心線ＣＬ側）に起立する。また、このように形成された第２立体ギャザー４ｂは、複数本の弾性部材４１の収縮により、着用者の肌側に向かって幅方向（Ｘ方向）外方（中心線ＣＬと反対側）に起立する。尚、第３線状接合部６ｃの位置は、立体ギャザーの起立性の観点から、吸収体３３の非積繊部３４の直下の位置又は非積繊部３４の位置より中心線ＣＬ寄りの位置であることが好ましい。
【００７２】
第３線状接合部６ｃは、長方形状の吸収性本体３の両側縁部それぞれに沿って延びており、また、吸収性本体３の縦方向（Ｙ方向）の全長に亘って延びている。第３線状接合部６ｃは、連続直線状に形成されていることが好ましいが、点線状に形成されていても良い。また、第３線状接合部６ｃを形成する際の接合方法としては、ヒートシール、超音波シール、高周波シール、接着剤の各種公知の接合方法が用いられる。
【００７３】
また、パンツ型吸収性物品は、幼児又は成人用のパンツ型使い捨ておむつの他、パンツ型の生理用ナプキン等であってもよい。
【符号の説明】
【００７４】
１Ａ，１Ｂ，１Ｃ  パンツ型使い捨ておむつ
２Ａ  腹側シート部材
２０Ａ  腹側シート部材本体
２００  腹側シート部材本体の下縁
２０ａ  腹側シート部材本体の側縁部
２１Ａ  腹側延出部
２１ａ  腹側延出部の側縁部
２Ｂ  背側シート部材
２０Ｂ  背側シート部材本体
２００  背側シート部材本体の下縁
２０ｂ  背側シート部材本体の側縁部
２１Ｂ  背側延出部
２１ｂ  背側延出部の側縁部
２２  外層シート
２３  内層シート
２４  弾性部材
３  吸収性本体
３ａ，３ｂ  吸収性本体の縦方向（Ｙ方向）の端部
３ｃ  吸収性本体の縦方向（Ｙ方向）の側部
３１  表面シート
３２  裏面シート
３３  吸収体
３３ｃ  吸収体の側縁部
３４  非積繊部
３４ａ  腹側端部，３４ｂ  背側端部
３５  高坪量部
３６  吸収体用弾性部材
３７  中央非積繊部
４  立体ギャザー
４ａ  第１立体ギャザー，４ｂ  第２立体ギャザー
４０  立体ギャザー形成用シート
４１  弾性部材
４２  中間弾性部材
４１ａ  第１弾性部材
４２  内側形成シート
４３  外側形成シート
５  サイドシール部
６ａ  第１線状接合部，６ｄ  第４線状接合部，６ｃ  第３線状接合部
７  接着剤
Ａ  腹側部，Ｂ  背側部，Ｃ  股下部
ＷＯ  ウエスト開口部，ＬＯ  レッグ開口部
ＣＬ  おむつの縦方向に延びる中心線，ＣＴ  おむつの中心
【図１】
2012061138.tif 000003
【図２】
2012061138.tif 000004
【図３】
2012061138.tif 000005
【図４】
2012061138.tif 000006
【図５】
2012061138.tif 000007
【図６】
2012061138.tif 000008
【図７】
2012061138.tif 000009
【図８】
2012061138.tif 000010